(57)【要約】【課題】本発明は金属イヤリングピアスの洗浄装置を開示した。【解決手段】洗浄機を含み、前記洗浄機の中には乾燥チャンバが設けられ、前記乾燥チャンバの上側には引っ掛かり溝が連通して設けられ、前記乾燥チャンバの片側には回転溝が連通して設けられ、前記回転溝の中には閉鎖板が回転できるように設けられ、前記閉鎖板の中には乾燥装置が設けられ、前記乾燥チャンバの両側には当接ブロックが対称的に設けられ、本発明は構成が簡単で、操作が便利で、洗浄過程において、ピアスを保護して洗浄チャンバ内壁とぶつかることを防止し、次に、洗浄ブロックがピアスを連動させて洗浄液の中で回転させて洗浄し、洗浄し終わった後、風力によりピアスを乾燥させ、この方式により洗浄した後のピアスを直接付けることができ、洗浄速度が速く、効率が高い。【選択図】図１
2020179384.tif 000002
【特許請求の範囲】
【請求項１】
正面視で、洗浄機を含み、前記洗浄機の中には乾燥チャンバが設けられ、前記乾燥チャンバの上側には引っ掛かり溝が連通して設けられ、前記乾燥チャンバの片側には回転溝が連通して設けられ、前記回転溝の中には閉鎖板が回転できるように設けられ、前記閉鎖板の中には乾燥装置が設けられ、前記乾燥チャンバの両側には当接ブロックが対称的に設けられ、前記乾燥チャンバのうち前記引っ掛かり溝に近接する側には押出溝が連通して設けられ、前記押出溝の中には押出ブロックが設けられ、前記押出ブロックと前記押出溝との間には押出ばねが設けられ、前記押出ブロックの中には当接溝が設けられ、前記押出溝と前記引っ掛かり溝との間には伸縮溝が連通して設けられ、前記伸縮溝の中には上端が前記当接溝を貫通して前記閉鎖板と当接する伸縮ブロックが設けられ、前記伸縮ブロックの下端と前記伸縮溝との間には伸縮ばねが設けられ、前記乾燥チャンバの下側には洗浄チャンバが連通して設けられ、前記洗浄チャンバの中には支持ブロックが設けられ、前記支持ブロックの中には貫通溝が設けられ、前記貫通溝の上側と前記支持ブロックの中には中空軸が回転できるように設けられ、前記中空軸の間には網状の洗浄ブロックが固定的に設けられ、前記洗浄ブロックの中には置きチャンバが設けられ、前記洗浄ブロックの中には前記置きチャンバを開閉できるカバーめくり装置が設けられ、前記中空軸の外端面には回転ギヤが設けられ、前記洗浄チャンバの中には前記貫通溝を貫通する動力回転軸が設けられ、前記動力回転軸には前記回転ギヤと噛み合っている動力ギヤが固定的に設けられ、前記洗浄チャンバの下側には対称的な昇降チャンバが連通して設けられ、前記昇降チャンバの間には連結チャンバが連通して設けられ、前記支持ブロックの下端が前記昇降チャンバの中に挿入され、且つ連結ロッドにより前記支持ブロックの間が固定的に連結され、前記連結ロッドと前記連結チャンバとの間には連結ばねが固定的に設けられ、前記貫通溝の下側にはロック溝が設けられ、前記昇降チャンバの外側には解錠装置が設けられることを特徴とする金属イヤリングピアスの洗浄装置。
【請求項２】
前記乾燥装置は前記乾燥チャンバと連通される風力回転溝を含み、前記風力回転溝の中には風力軸が設けられ、前記風力軸にはファン羽根が設けられ、前記回転溝の下側にはラチェットチャンバが連通して設けられ、前記ラチェットチャンバの中には回転軸を通じて外回転ギヤが回転できるように設けられ、前記回転軸の上端が前記閉鎖板の中に挿入され、且つ前記回転軸の上端と前記風力軸との間が連結ベルトにより動力が伝達できるように連結され、前記ラチェットチャンバの下側には駆動装置が設けられることを特徴とする請求項１に記載の金属イヤリングピアスの洗浄装置。
【請求項３】
前記駆動装置は駆動モータを含み、前記駆動モータには駆動回転軸が連結され、上側の前記駆動回転軸の上端が前記ラチェットチャンバの中に挿入され、且つ上側の前記駆動回転軸の上端には内ラチェットが固定的に設けられ、前記内ラチェットと前記外回転ギヤとが片方向に噛み合って回転し、前記駆動モータと前記洗浄チャンバとの間には噛み合いチャンバが連通して設けられ、下側の前記駆動回転軸の下端が前記噛み合いチャンバの中に挿入され、且つ下側の前記駆動回転軸の下端には第一ベベルギヤが固定的に設けられ、前記動力回転軸の一端が前記噛み合いチャンバの中に挿入され、且つ前記動力回転軸のこの端には前記第一ベベルギヤと噛み合っている第二ベベルギヤが固定的に設けられることを特徴とする請求項２に記載の金属イヤリングピアスの洗浄装置。
【請求項４】
前記カバーめくり装置は対称的に設置されるスライド溝を含み、前記スライド溝の中には一端が前記洗浄チャンバの中に挿入されるスライドロッドが設けられ、前記スライドロッドと前記スライド溝との間には押圧ばねが設けられ、前記スライド溝の片側には噛み合い溝が連通して設けられ、前記噛み合い溝の中にはギヤ軸を通じて前記スライドロッドと噛み合っている伝動ギヤが回転できるように設けられ、前記ギヤ軸の上端には第三ベベルギヤが固定的に設けられ、前記噛み合い溝の中には連結軸を通じて前記第三ベベルギヤと噛み合っている第四ベベルギヤが回転できるように設けられ、前記置きチャンバの片側には開口溝が連通して設けられ、前記開口溝の中には閉鎖回転軸を通じてカバー板が回転できるように設けられ、前記閉鎖回転軸と前記連結軸との間が伝動ベルトにより動力が伝達できるように連結されることを特徴とする請求項１に記載の金属イヤリングピアスの洗浄装置。
【請求項５】
前記解錠装置は前記昇降チャンバと連通されるロックスライド溝を含み、前記ロックスライド溝の中には前記ロック溝と係着されるロックスライダが設けられ、前記ロックスライド溝の上側には連結溝が連通して設けられ、前記連結溝の中には前記ロックスライダと噛み合っている連結ギヤが回転できるように設けられ、前記連結溝と外部空間との間には押さえ溝が連通して設けられ、前記押さえ溝の中には一端が外部空間に挿入される押さえロッドがスライドできるように設けられ、前記押さえロッドが前記連結ギヤと噛み合っており、前記押さえロッドと前記押さえ溝との間には押さえばねが固定的に設けられることを特徴とする請求項１に記載の金属イヤリングピアスの洗浄装置。
【発明の詳細な説明】
【技術分野】
【０００１】
本発明はアクセサリーメンテナンス技術分野を取り上げて、具体的には金属イヤリングピアスの洗浄装置である。
【背景技術】
【０００２】
金属イヤリングやピアスの洗浄は常に手でブラシを使って洗うことであり、イヤリングを洗浄する時、手も洗浄液の中に浸し、手に優しくなく、また、ブラシでイヤリングやピアスを洗う時、ブラシの短い毛がイヤリングに巻き付きやすく、ブラシでイヤリングやピアスを壊す可能性があり、洗浄した後のピアスを洗浄液から取り出した後、風で乾燥してはじめて付けることができるので、金属イヤリングピアスの洗浄効率を高める必要がある。
【先行技術文献】
【特許文献】
【０００３】
【特許文献１】中国特許出願公開第108607844号明細書
【発明の概要】
【発明が解決しようとする課題】
【０００４】
本発明は金属イヤリングピアスの洗浄装置を提供し、従来技術における上記欠点を解消することを目的とする。
【課題を解決するための手段】
【０００５】
本発明の金属イヤリングピアスの洗浄装置は、洗浄機を含み、前記洗浄機の中には乾燥チャンバが設けられ、前記乾燥チャンバの上側には引っ掛かり溝が連通して設けられ、前記乾燥チャンバの片側には回転溝が連通して設けられ、前記回転溝の中には閉鎖板が回転できるように設けられ、前記閉鎖板の中には乾燥装置が設けられ、前記乾燥チャンバの両側には当接ブロックが対称的に設けられ、前記乾燥チャンバのうち前記引っ掛かり溝に近接する側には押出溝が連通して設けられ、前記押出溝の中には押出ブロックが設けられ、前記押出ブロックと前記押出溝との間には押出ばねが設けられ、前記押出ブロックの中には当接溝が設けられ、前記押出溝と前記引っ掛かり溝との間には伸縮溝が連通して設けられ、前記伸縮溝の中には上端が前記当接溝を貫通して前記閉鎖板と当接する伸縮ブロックが設けられ、前記伸縮ブロックの下端と前記伸縮溝との間には伸縮ばねが設けられ、前記乾燥チャンバの下側には洗浄チャンバが連通して設けられ、前記洗浄チャンバの中には支持ブロックが設けられ、前記支持ブロックの中には貫通溝が設けられ、前記貫通溝の上側と前記支持ブロックの中には中空軸が回転できるように設けられ、前記中空軸の間には網状の洗浄ブロックが固定的に設けられ、前記洗浄ブロックの中には置きチャンバが設けられ、前記洗浄ブロックの中には前記置きチャンバを開閉できるカバーめくり装置が設けられ、前記中空軸の外端面には回転ギヤが設けられ、前記洗浄チャンバの中には前記貫通溝を貫通する動力回転軸が設けられ、前記動力回転軸には前記回転ギヤと噛み合っている動力ギヤが固定的に設けられ、前記洗浄チャンバの下側には対称的な昇降チャンバが連通して設けられ、前記昇降チャンバの間には連結チャンバが連通して設けられ、前記支持ブロックの下端が前記昇降チャンバの中に挿入され、且つ連結ロッドにより前記支持ブロックの間が固定的に連結され、前記連結ロッドと前記連結チャンバとの間には連結ばねが固定的に設けられ、前記貫通溝の下側にはロック溝が設けられ、前記昇降チャンバの外側には解錠装置が設けられる。
【０００６】
更の技術プランとして、前記乾燥装置は前記乾燥チャンバと連通される風力回転溝を含み、前記風力回転溝の中には風力軸が設けられ、前記風力軸にはファン羽根が設けられ、前記回転溝の下側にはラチェットチャンバが連通して設けられ、前記ラチェットチャンバの中には回転軸を通じて外回転ギヤが回転できるように設けられ、前記回転軸の上端が前記閉鎖板の中に挿入され、且つ前記回転軸の上端と前記風力軸との間が連結ベルトにより動力が伝達できるように連結され、前記ラチェットチャンバの下側には駆動装置が設けられる。
【０００７】
更の技術プランとして、前記駆動装置は駆動モータを含み、前記駆動モータには駆動回転軸が連結され、上側の前記駆動回転軸の上端が前記ラチェットチャンバの中に挿入され、且つ上側の前記駆動回転軸の上端には内ラチェットが固定的に設けられ、前記内ラチェットと前記外回転ギヤとが片方向に噛み合って回転し、前記駆動モータと前記洗浄チャンバとの間には噛み合いチャンバが連通して設けられ、下側の前記駆動回転軸の下端が前記噛み合いチャンバの中に挿入され、且つ下側の前記駆動回転軸の下端には第一ベベルギヤが固定的に設けられ、前記動力回転軸の一端が前記噛み合いチャンバの中に挿入され、且つ前記動力回転軸のこの端には前記第一ベベルギヤと噛み合っている第二ベベルギヤが固定的に設けられる。
【０００８】
更の技術プランとして、前記カバーめくり装置は対称的に設置されるスライド溝を含み、前記スライド溝の中には一端が前記洗浄チャンバの中に挿入されるスライドロッドが設けられ、前記スライドロッドと前記スライド溝との間には押圧ばねが設けられ、前記スライド溝の片側には噛み合い溝が連通して設けられ、前記噛み合い溝の中にはギヤ軸を通じて前記スライドロッドと噛み合っている伝動ギヤが回転できるように設けられ、前記ギヤ軸の上端には第三ベベルギヤが固定的に設けられ、前記噛み合い溝の中には連結軸を通じて前記第三ベベルギヤと噛み合っている第四ベベルギヤが回転できるように設けられ、前記置きチャンバの片側には開口溝が連通して設けられ、前記開口溝の中には閉鎖回転軸を通じてカバー板が回転できるように設けられ、前記閉鎖回転軸と前記連結軸との間が伝動ベルトにより動力が伝達できるように連結される。
【０００９】
更の技術プランとして、前記解錠装置は前記昇降チャンバと連通されるロックスライド溝を含み、前記ロックスライド溝の中には前記ロック溝と係着されるロックスライダが設けられ、前記ロックスライド溝の上側には連結溝が連通して設けられ、前記連結溝の中には前記ロックスライダと噛み合っている連結ギヤが回転できるように設けられ、前記連結溝と外部空間との間には押さえ溝が連通して設けられ、前記押さえ溝の中には一端が外部空間に挿入される押さえロッドがスライドできるように設けられ、前記押さえロッドが前記連結ギヤと噛み合っており、前記押さえロッドと前記押さえ溝との間には押さえばねが固定的に設けられる。
【発明の効果】
【００１０】
本発明の有益効果は：本発明は構成が簡単で、操作が便利で、洗浄過程において、ピアスを保護して洗浄チャンバ内壁とぶつかることを防止し、次に、洗浄ブロックがピアスを連動させて洗浄液の中で回転させて洗浄し、洗浄し終わった後、風力によりピアスを乾燥させ、この方式により洗浄した後のピアスを直接付けることができ、洗浄速度が速く、効率が高い。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の金属イヤリングピアスの洗浄装置の内部全体構成模式図
【図２】図２は本発明の中の図１の中の「Ａ−Ａ」方向の構成模式図
【図３】図３は本発明の中の図２の中の「Ｂ」の拡大構成模式図
【図４】図４は本発明の中の図２の中の「Ｃ−Ｃ」方向の構成模式図
【発明を実施するための形態】
【００１３】
図１〜４を参照し、本発明の実施例の金属イヤリングピアスの洗浄装置は、洗浄機１０を含み、前記洗浄機１０の中には乾燥チャンバ１１が設けられ、前記乾燥チャンバ１１の上側には引っ掛かり溝１３が連通して設けられ、前記乾燥チャンバ１１の片側には回転溝１２が連通して設けられ、前記回転溝１２の中には閉鎖板１４が回転できるように設けられ、前記閉鎖板１４の中には乾燥装置１００が設けられ、前記乾燥チャンバ１１の両側には当接ブロック１５が対称的に設けられ、前記乾燥チャンバ１１のうち前記引っ掛かり溝１３に近接する側には押出溝１６が連通して設けられ、前記押出溝１６の中には押出ブロック１７が設けられ、前記押出ブロック１７と前記押出溝１６との間には押出ばね１８が設けられ、前記押出ブロック１７の中には当接溝１９が設けられ、前記押出溝１６と前記引っ掛かり溝１３との間には伸縮溝２０が連通して設けられ、前記伸縮溝２０の中には上端が前記当接溝１９を貫通して前記閉鎖板１４と当接する伸縮ブロック２１が設けられ、前記伸縮ブロック２１の下端と前記伸縮溝２０との間には伸縮ばね２２が設けられ、前記乾燥チャンバ１１の下側には洗浄チャンバ２３が連通して設けられ、前記洗浄チャンバ２３の中には支持ブロック２４が設けられ、前記支持ブロック２４の中には貫通溝３０が設けられ、前記貫通溝３０の上側と前記支持ブロック２４の中には中空軸２５が回転できるように設けられ、前記中空軸２５の間には網状の洗浄ブロック２６が固定的に設けられ、前記洗浄ブロック２６の中には置きチャンバ２７が設けられ、前記洗浄ブロック２６の中には前記置きチャンバ２７を開閉できるカバーめくり装置２００が設けられ、前記中空軸２５の外端面には回転ギヤ２８が設けられ、前記洗浄チャンバ２３の中には前記貫通溝３０を貫通する動力回転軸３６が設けられ、前記動力回転軸３６には前記回転ギヤ２８と噛み合っている動力ギヤ３５が固定的に設けられ、前記洗浄チャンバ２３の下側には対称的な昇降チャンバ２９が連通して設けられ、前記昇降チャンバ２９の間には連結チャンバ３２が連通して設けられ、前記支持ブロック２４の下端が前記昇降チャンバ２９の中に挿入され、且つ連結ロッド３３により前記支持ブロック２４の間が固定的に連結され、前記連結ロッド３３と前記連結チャンバ３２との間には連結ばね３４が固定的に設けられ、前記貫通溝３０の下側にはロック溝３１が設けられ、前記昇降チャンバ２９の外側には解錠装置３００が設けられる。
【００１４】
有益的には、前記乾燥装置１００は前記乾燥チャンバ１１と連通される風力回転溝３７を含み、前記風力回転溝３７の中には風力軸３８が設けられ、前記風力軸３８にはファン羽根３９が設けられ、前記回転溝１２の下側にはラチェットチャンバ４２が連通して設けられ、前記ラチェットチャンバ４２の中には回転軸４０を通じて外回転ギヤ４３が回転できるように設けられ、前記回転軸４０の上端が前記閉鎖板１４の中に挿入され、且つ前記回転軸４０の上端と前記風力軸３８との間が連結ベルト４１により動力が伝達できるように連結され、前記ラチェットチャンバ４２の下側には駆動装置４００が設けられる。
【００１５】
有益的には、前記駆動装置４００は駆動モータ４５を含み、前記駆動モータ４５には駆動回転軸４６が連結され、上側の前記駆動回転軸４６の上端が前記ラチェットチャンバ４２の中に挿入され、且つ上側の前記駆動回転軸４６の上端には内ラチェット４４が固定的に設けられ、前記内ラチェット４４と前記外回転ギヤ４３とが片方向に噛み合って回転し、前記駆動モータ４５と前記洗浄チャンバ２３との間には噛み合いチャンバ４７が連通して設けられ、下側の前記駆動回転軸４６の下端が前記噛み合いチャンバ４７の中に挿入され、且つ下側の前記駆動回転軸４６の下端には第一ベベルギヤ４８が固定的に設けられ、前記動力回転軸３６の一端が前記噛み合いチャンバ４７の中に挿入され、且つ前記動力回転軸３６のこの端には前記第一ベベルギヤ４８と噛み合っている第二ベベルギヤ４９が固定的に設けられる。
【００１６】
有益的には、前記カバーめくり装置２００は対称的に設置されるスライド溝５０を含み、前記スライド溝５０の中には一端が前記洗浄チャンバ２３の中に挿入されるスライドロッド５１が設けられ、前記スライドロッド５１と前記スライド溝５０との間には押圧ばね５２が設けられ、前記スライド溝５０の片側には噛み合い溝５６が連通して設けられ、前記噛み合い溝５６の中にはギヤ軸５９を通じて前記スライドロッド５１と噛み合っている伝動ギヤ５７が回転できるように設けられ、前記ギヤ軸５９の上端には第三ベベルギヤ５８が固定的に設けられ、前記噛み合い溝５６の中には連結軸６１を通じて前記第三ベベルギヤ５８と噛み合っている第四ベベルギヤ６０が回転できるように設けられ、前記置きチャンバ２７の片側には開口溝５３が連通して設けられ、前記開口溝５３の中には閉鎖回転軸５４を通じてカバー板５５が回転できるように設けられ、前記閉鎖回転軸５４と前記連結軸６１との間が伝動ベルト６２により動力が伝達できるように連結される。
【００１７】
有益的には、前記解錠装置３００は前記昇降チャンバ２９と連通されるロックスライド溝６３を含み、前記ロックスライド溝６３の中には前記ロック溝３１と係着されるロックスライダ６４が設けられ、前記ロックスライド溝６３の上側には連結溝６５が連通して設けられ、前記連結溝６５の中には前記ロックスライダ６４と噛み合っている連結ギヤ６６が回転できるように設けられ、前記連結溝６５と外部空間との間には押さえ溝６７が連通して設けられ、前記押さえ溝６７の中には一端が外部空間に挿入される押さえロッド６８がスライドできるように設けられ、前記押さえロッド６８が前記連結ギヤ６６と噛み合っており、前記押さえロッド６８と前記押さえ溝６７との間には押さえばね６９が固定的に設けられる。
【００１８】
作動する時、ピアスを置きチャンバ２７の中に置き、支持ブロック２４を押さえて下降させ、スライドロッド５１が当接ブロック１５との当接から離脱し、スライドロッド５１が押圧ばね５２の作用のもとで逆方向に移動し、伝動ギヤ５７が第四ベベルギヤ６０を連動して回転させると、閉鎖回転軸５４が回転し、カバー板５５が右の視点から反時計回りに回転し、置きチャンバ２７を閉じ、支持ブロック２４がロックスライダ６４の位置まで下降する時、支持ブロック２４がロック溝３１の中に最大限に係着され、これにより洗浄ブロック２６が洗浄チャンバ２３の中に固定され、手動で閉鎖板１４を回転させることにより乾燥チャンバ１１を閉じ、伸縮ブロック２１が閉鎖板１４により押されて下降し、これにより押出ブロック１７が乾燥チャンバ１１の中に挿し込み、駆動モータ４５が正方向に回転し、動力ギヤ３５を駆動して回転させ、これにより中空軸２５が洗浄ブロック２６を連動して回転させ、置きチャンバ２７の中にあるピアスを洗浄し、洗浄し終わった後、両側の押さえロッド６８を相対する方向に押さえ、ロックスライダ６４を外側に移動させてロック溝３１とロック解除させ、これにより支持ブロック２４が洗浄ブロック２６を連動させて連結ばね３４の作用のもとで乾燥チャンバ１１の中まで上昇させ、スライドロッド５１が押出ブロック１７と当接し、この時、連結ばね３４の弾性がまだ完全に回復していなく、駆動モータ４５を駆動して逆方向に回転させ、中空軸２５が洗浄ブロック２６を連動させて回転させ、且つ内ラチェット４４により外回転ギヤ４３を回転させ、これにより回転軸４０が回転し、ファン羽根３９を回転させて風を生じさせ、置きチャンバ２７にあるピアスを乾燥させ、乾燥させた後、俯瞰の視点から時計回りに閉鎖板１４を回転させ、これにより、伸縮ブロック２１を上昇させ、これにより押出ブロック１７が押出溝１６の中まで収縮し、連結ばね３４の弾性により支持ブロック２４を上昇させ、これによりスライドロッド５１が当接ブロック１５と当接し、スライドロッド５１を相対する方向に移動させ、これにより閉鎖回転軸５４がカバー板５５を連動させて右の視点から時計回りに回転させ、これにより置きチャンバ２７を開ける。
【００１９】
本発明の有益効果は：本発明は構成が簡単で、操作が便利で、洗浄過程において、ピアスを保護して洗浄チャンバ内壁とぶつかることを防止し、次に、洗浄ブロックがピアスを連動させて洗浄液の中で回転させて洗浄し、洗浄し終わった後、風力によりピアスを乾燥させ、この方式により洗浄した後のピアスを直接付けることができ、洗浄速度が速く、効率が高い。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179384.tif 000003
【図２】
2020179384.tif 000004
【図３】
2020179384.tif 000005
【図４】
2020179384.tif 000006
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
正面視で、洗浄機を含み、前記洗浄機の中には乾燥チャンバが設けられ、前記乾燥チャンバの上側には引っ掛かり溝が連通して設けられ、前記乾燥チャンバの片側には回転溝が連通して設けられ、前記回転溝の中には前記回転溝の中で揺動する閉鎖板が回転できるように設けられ、前記閉鎖板の中には乾燥装置が設けられ、前記乾燥チャンバの両側には当接ブロックが対称的に設けられ、前記乾燥チャンバのうち前記引っ掛かり溝に近接する側には押出溝が連通して設けられ、前記押出溝の中には押出ブロックが設けられ、前記押出ブロックと前記押出溝との間には押出ばねが設けられ、前記押出ブロックの中には当接溝が設けられ、前記押出溝と前記引っ掛かり溝との間には伸縮溝が連通して設けられ、前記伸縮溝の中には上端が前記当接溝を貫通して前記閉鎖板と当接する伸縮ブロックが設けられ、前記伸縮ブロックの下端と前記伸縮溝との間には伸縮ばねが設けられ、前記乾燥チャンバの下側には洗浄チャンバが連通して設けられ、前記洗浄チャンバの中には支持ブロックが設けられ、前記支持ブロックの中には貫通溝が設けられ、前記貫通溝の上側と前記支持ブロックの中には中空軸が回転できるように設けられ、前記中空軸の間には網状の洗浄ブロックが固定的に設けられ、前記洗浄ブロックの中には金属イヤリングピアスを置くための置きチャンバが設けられ、前記洗浄ブロックの中には前記置きチャンバを開閉できるカバーめくり装置が設けられ、前記中空軸の外端面には回転ギヤが設けられ、前記洗浄チャンバの中には前記貫通溝を貫通する動力回転軸が設けられ、前記動力回転軸には前記回転ギヤと噛み合っている動力ギヤが固定的に設けられ、前記洗浄チャンバの下側には前記洗浄チャンバの鉛直中心線を対称線として左右対称となる昇降チャンバが連通して設けられ、前記昇降チャンバの間には連結チャンバが連通して設けられ、前記支持ブロックの下端が前記昇降チャンバの中に挿入され、且つ連結ロッドにより前記支持ブロックの間が固定的に連結され、前記連結ロッドと前記連結チャンバとの間には連結ばねが固定的に設けられ、前記貫通溝の下側にはロック溝が設けられ、前記昇降チャンバの外側には解錠装置が設けられ、
前記乾燥装置は前記乾燥チャンバと連通される風力回転溝を含み、前記風力回転溝の中には風力軸が設けられ、前記風力軸にはファン羽根が設けられ、前記回転溝の下側にはラチェットチャンバが連通して設けられ、前記ラチェットチャンバの中には回転軸を通じて外回転ギヤが回転できるように設けられ、前記回転軸の上端が前記閉鎖板の中に挿入され、且つ前記回転軸の上端と前記風力軸との間が連結ベルトにより動力が伝達できるように連結され、前記ラチェットチャンバの下側には駆動装置が設けられ、
前記駆動装置は駆動モータを含み、前記駆動モータには駆動回転軸が連結され、上側の前記駆動回転軸の上端が前記ラチェットチャンバの中に挿入され、且つ上側の前記駆動回転軸の上端には内ラチェットが固定的に設けられ、前記内ラチェットと前記外回転ギヤとが片方向に噛み合って回転し、前記駆動モータと前記洗浄チャンバとの間には噛み合いチャンバが連通して設けられ、下側の前記駆動回転軸の下端が前記噛み合いチャンバの中に挿入され、且つ下側の前記駆動回転軸の下端には第一ベベルギヤが固定的に設けられ、前記動力回転軸の一端が前記噛み合いチャンバの中に挿入され、且つ前記動力回転軸のこの端には前記第一ベベルギヤと噛み合っている第二ベベルギヤが固定的に設けられ、
前記カバーめくり装置は対称的に設置されるスライド溝を含み、前記スライド溝の中には一端が前記洗浄チャンバの中に挿入されるスライドロッドが設けられ、前記スライドロッドと前記スライド溝との間には押圧ばねが設けられ、前記スライド溝の片側には噛み合い溝が連通して設けられ、前記噛み合い溝の中にはギヤ軸を通じて前記スライドロッドと噛み合っている伝動ギヤが回転できるように設けられ、前記ギヤ軸の上端には第三ベベルギヤが固定的に設けられ、前記噛み合い溝の中には連結軸を通じて前記第三ベベルギヤと噛み合っている第四ベベルギヤが回転できるように設けられ、前記置きチャンバの片側には開口溝が連通して設けられ、前記開口溝の中には閉鎖回転軸を通じてカバー板が回転できるように設けられ、前記閉鎖回転軸と前記連結軸との間が伝動ベルトにより動力が伝達できるように連結されることを特徴とする金属イヤリングピアスの洗浄装置。
【請求項２】
前記解錠装置は前記昇降チャンバと連通されるロックスライド溝を含み、前記ロックスライド溝の中には前記ロック溝と係着されるロックスライダが設けられ、前記ロックスライド溝の上側には連結溝が連通して設けられ、前記連結溝の中には前記ロックスライダと噛み合っている連結ギヤが回転できるように設けられ、前記連結溝と外部空間との間には押さえ溝が連通して設けられ、前記押さえ溝の中には一端が外部空間に挿入される押さえロッドがスライドできるように設けられ、前記押さえロッドが前記連結ギヤと噛み合っており、前記押さえロッドと前記押さえ溝との間には押さえばねが固定的に設けられることを特徴とする請求項１に記載の金属イヤリングピアスの洗浄装置。
【手続補正２】
【補正対象書類名】明細書
【補正対象項目名】全文
【補正方法】変更
【補正の内容】
【発明の詳細な説明】
【技術分野】
【０００１】
本発明はアクセサリーメンテナンス技術分野を取り上げて、具体的には金属イヤリングピアスの洗浄装置である。
【背景技術】
【０００２】
金属イヤリングやピアスの洗浄は常に手でブラシを使って洗うことであり、イヤリングを洗浄する時、手も洗浄液の中に浸し、手に優しくなく、また、ブラシでイヤリングやピアスを洗う時、ブラシの短い毛がイヤリングに巻き付きやすく、ブラシでイヤリングやピアスを壊す可能性があり、洗浄した後のピアスを洗浄液から取り出した後、風で乾燥してはじめて付けることができるので、金属イヤリングピアスの洗浄効率を高める必要がある。
【先行技術文献】
【特許文献】
【０００３】
【特許文献１】中国特許出願公開第108607844号明細書
【発明の概要】
【発明が解決しようとする課題】
【０００４】
本発明は金属イヤリングピアスの洗浄装置を提供し、従来技術における上記欠点を解消することを目的とする。
【課題を解決するための手段】
【０００５】
本発明の金属イヤリングピアスの洗浄装置は、洗浄機を含み、前記洗浄機の中には乾燥チャンバが設けられ、前記乾燥チャンバの上側には引っ掛かり溝が連通して設けられ、前記乾燥チャンバの片側には回転溝が連通して設けられ、前記回転溝の中には前記回転溝の中で揺動する閉鎖板が回転できるように設けられ、前記閉鎖板の中には乾燥装置が設けられ、前記乾燥チャンバの両側には当接ブロックが対称的に設けられ、前記乾燥チャンバのうち前記引っ掛かり溝に近接する側には押出溝が連通して設けられ、前記押出溝の中には押出ブロックが設けられ、前記押出ブロックと前記押出溝との間には押出ばねが設けられ、前記押出ブロックの中には当接溝が設けられ、前記押出溝と前記引っ掛かり溝との間には伸縮溝が連通して設けられ、前記伸縮溝の中には上端が前記当接溝を貫通して前記閉鎖板と当接する伸縮ブロックが設けられ、前記伸縮ブロックの下端と前記伸縮溝との間には伸縮ばねが設けられ、前記乾燥チャンバの下側には洗浄チャンバが連通して設けられ、前記洗浄チャンバの中には支持ブロックが設けられ、前記支持ブロックの中には貫通溝が設けられ、前記貫通溝の上側と前記支持ブロックの中には中空軸が回転できるように設けられ、前記中空軸の間には網状の洗浄ブロックが固定的に設けられ、前記洗浄ブロックの中には金属イヤリングピアスを置くための置きチャンバが設けられ、前記洗浄ブロックの中には前記置きチャンバを開閉できるカバーめくり装置が設けられ、前記中空軸の外端面には回転ギヤが設けられ、前記洗浄チャンバの中には前記貫通溝を貫通する動力回転軸が設けられ、前記動力回転軸には前記回転ギヤと噛み合っている動力ギヤが固定的に設けられ、前記洗浄チャンバの下側には前記洗浄チャンバの鉛直中心線を対称線として左右対称となる昇降チャンバが連通して設けられ、前記昇降チャンバの間には連結チャンバが連通して設けられ、前記支持ブロックの下端が前記昇降チャンバの中に挿入され、且つ連結ロッドにより前記支持ブロックの間が固定的に連結され、前記連結ロッドと前記連結チャンバとの間には連結ばねが固定的に設けられ、前記貫通溝の下側にはロック溝が設けられ、前記昇降チャンバの外側には解錠装置が設けられる。
【０００６】
更の技術プランとして、前記乾燥装置は前記乾燥チャンバと連通される風力回転溝を含み、前記風力回転溝の中には風力軸が設けられ、前記風力軸にはファン羽根が設けられ、前記回転溝の下側にはラチェットチャンバが連通して設けられ、前記ラチェットチャンバの中には回転軸を通じて外回転ギヤが回転できるように設けられ、前記回転軸の上端が前記閉鎖板の中に挿入され、且つ前記回転軸の上端と前記風力軸との間が連結ベルトにより動力が伝達できるように連結され、前記ラチェットチャンバの下側には駆動装置が設けられる。
【０００７】
更の技術プランとして、前記駆動装置は駆動モータを含み、前記駆動モータには駆動回転軸が連結され、上側の前記駆動回転軸の上端が前記ラチェットチャンバの中に挿入され、且つ上側の前記駆動回転軸の上端には内ラチェットが固定的に設けられ、前記内ラチェットと前記外回転ギヤとが片方向に噛み合って回転し、前記駆動モータと前記洗浄チャンバとの間には噛み合いチャンバが連通して設けられ、下側の前記駆動回転軸の下端が前記噛み合いチャンバの中に挿入され、且つ下側の前記駆動回転軸の下端には第一ベベルギヤが固定的に設けられ、前記動力回転軸の一端が前記噛み合いチャンバの中に挿入され、且つ前記動力回転軸のこの端には前記第一ベベルギヤと噛み合っている第二ベベルギヤが固定的に設けられる。
【０００８】
更の技術プランとして、前記カバーめくり装置は対称的に設置されるスライド溝を含み、前記スライド溝の中には一端が前記洗浄チャンバの中に挿入されるスライドロッドが設けられ、前記スライドロッドと前記スライド溝との間には押圧ばねが設けられ、前記スライド溝の片側には噛み合い溝が連通して設けられ、前記噛み合い溝の中にはギヤ軸を通じて前記スライドロッドと噛み合っている伝動ギヤが回転できるように設けられ、前記ギヤ軸の上端には第三ベベルギヤが固定的に設けられ、前記噛み合い溝の中には連結軸を通じて前記第三ベベルギヤと噛み合っている第四ベベルギヤが回転できるように設けられ、前記置きチャンバの片側には開口溝が連通して設けられ、前記開口溝の中には閉鎖回転軸を通じてカバー板が回転できるように設けられ、前記閉鎖回転軸と前記連結軸との間が伝動ベルトにより動力が伝達できるように連結される。
【０００９】
更の技術プランとして、前記解錠装置は前記昇降チャンバと連通されるロックスライド溝を含み、前記ロックスライド溝の中には前記ロック溝と係着されるロックスライダが設けられ、前記ロックスライド溝の上側には連結溝が連通して設けられ、前記連結溝の中には前記ロックスライダと噛み合っている連結ギヤが回転できるように設けられ、前記連結溝と外部空間との間には押さえ溝が連通して設けられ、前記押さえ溝の中には一端が外部空間に挿入される押さえロッドがスライドできるように設けられ、前記押さえロッドが前記連結ギヤと噛み合っており、前記押さえロッドと前記押さえ溝との間には押さえばねが固定的に設けられる。
【発明の効果】
【００１０】
本発明の有益効果は：本発明は構成が簡単で、操作が便利で、洗浄過程において、ピアスを保護して洗浄チャンバ内壁とぶつかることを防止し、次に、洗浄ブロックがピアスを連動させて洗浄液の中で回転させて洗浄し、洗浄し終わった後、風力によりピアスを乾燥させ、この方式により洗浄した後のピアスを直接付けることができ、洗浄速度が速く、効率が高い。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の金属イヤリングピアスの洗浄装置の内部全体構成模式図
【図２】図２は本発明の中の図１の中の「Ａ−Ａ」方向の構成模式図
【図３】図３は本発明の中の図２の中の「Ｂ」の拡大構成模式図
【図４】図４は本発明の中の図２の中の「Ｃ−Ｃ」方向の構成模式図
【発明を実施するための形態】
【００１３】
図１〜４を参照し、本発明の実施例の金属イヤリングピアスの洗浄装置は、洗浄機１０を含み、前記洗浄機１０の中には乾燥チャンバ１１が設けられ、前記乾燥チャンバ１１の上側には引っ掛かり溝１３が連通して設けられ、前記乾燥チャンバ１１の片側には回転溝１２が連通して設けられ、前記回転溝１２の中には前記回転溝１２の中で揺動する閉鎖板１４が回転できるように設けられ、前記閉鎖板１４の中には乾燥装置１００が設けられ、前記乾燥チャンバ１１の両側には当接ブロック１５が対称的に設けられ、前記乾燥チャンバ１１のうち前記引っ掛かり溝１３に近接する側には押出溝１６が連通して設けられ、前記押出溝１６の中には押出ブロック１７が設けられ、前記押出ブロック１７と前記押出溝１６との間には押出ばね１８が設けられ、前記押出ブロック１７の中には当接溝１９が設けられ、前記押出溝１６と前記引っ掛かり溝１３との間には伸縮溝２０が連通して設けられ、前記伸縮溝２０の中には上端が前記当接溝１９を貫通して前記閉鎖板１４と当接する伸縮ブロック２１が設けられ、前記伸縮ブロック２１の下端と前記伸縮溝２０との間には伸縮ばね２２が設けられ、前記乾燥チャンバ１１の下側には洗浄チャンバ２３が連通して設けられ、前記洗浄チャンバ２３の中には支持ブロック２４が設けられ、前記支持ブロック２４の中には貫通溝３０が設けられ、前記貫通溝３０の上側と前記支持ブロック２４の中には中空軸２５が回転できるように設けられ、前記中空軸２５の間には網状の洗浄ブロック２６が固定的に設けられ、前記洗浄ブロック２６の中には金属イヤリングピアスを置くための置きチャンバ２７が設けられ、前記洗浄ブロック２６の中には前記置きチャンバ２７を開閉できるカバーめくり装置２００が設けられ、前記中空軸２５の外端面には回転ギヤ２８が設けられ、前記洗浄チャンバ２３の中には前記貫通溝３０を貫通する動力回転軸３６が設けられ、前記動力回転軸３６には前記回転ギヤ２８と噛み合っている動力ギヤ３５が固定的に設けられ、前記洗浄チャンバ２３の下側には前記洗浄チャンバ２３の鉛直中心線を対称線として左右対称となる昇降チャンバ２９が連通して設けられ、前記昇降チャンバ２９の間には連結チャンバ３２が連通して設けられ、前記支持ブロック２４の下端が前記昇降チャンバ２９の中に挿入され、且つ連結ロッド３３により前記支持ブロック２４の間が固定的に連結され、前記連結ロッド３３と前記連結チャンバ３２との間には連結ばね３４が固定的に設けられ、前記貫通溝３０の下側にはロック溝３１が設けられ、前記昇降チャンバ２９の外側には解錠装置３００が設けられる。
【００１４】
有益的には、前記乾燥装置１００は前記乾燥チャンバ１１と連通される風力回転溝３７を含み、前記風力回転溝３７の中には風力軸３８が設けられ、前記風力軸３８にはファン羽根３９が設けられ、前記回転溝１２の下側にはラチェットチャンバ４２が連通して設けられ、前記ラチェットチャンバ４２の中には回転軸４０を通じて外回転ギヤ４３が回転できるように設けられ、前記回転軸４０の上端が前記閉鎖板１４の中に挿入され、且つ前記回転軸４０の上端と前記風力軸３８との間が連結ベルト４１により動力が伝達できるように連結され、前記ラチェットチャンバ４２の下側には駆動装置４００が設けられる。
【００１５】
有益的には、前記駆動装置４００は駆動モータ４５を含み、前記駆動モータ４５には駆動回転軸４６が連結され、上側の前記駆動回転軸４６の上端が前記ラチェットチャンバ４２の中に挿入され、且つ上側の前記駆動回転軸４６の上端には内ラチェット４４が固定的に設けられ、前記内ラチェット４４と前記外回転ギヤ４３とが片方向に噛み合って回転し、前記駆動モータ４５と前記洗浄チャンバ２３との間には噛み合いチャンバ４７が連通して設けられ、下側の前記駆動回転軸４６の下端が前記噛み合いチャンバ４７の中に挿入され、且つ下側の前記駆動回転軸４６の下端には第一ベベルギヤ４８が固定的に設けられ、前記動力回転軸３６の一端が前記噛み合いチャンバ４７の中に挿入され、且つ前記動力回転軸３６のこの端には前記第一ベベルギヤ４８と噛み合っている第二ベベルギヤ４９が固定的に設けられる。
【００１６】
有益的には、前記カバーめくり装置２００は対称的に設置されるスライド溝５０を含み、前記スライド溝５０の中には一端が前記洗浄チャンバ２３の中に挿入されるスライドロッド５１が設けられ、前記スライドロッド５１と前記スライド溝５０との間には押圧ばね５２が設けられ、前記スライド溝５０の片側には噛み合い溝５６が連通して設けられ、前記噛み合い溝５６の中にはギヤ軸５９を通じて前記スライドロッド５１と噛み合っている伝動ギヤ５７が回転できるように設けられ、前記ギヤ軸５９の上端には第三ベベルギヤ５８が固定的に設けられ、前記噛み合い溝５６の中には連結軸６１を通じて前記第三ベベルギヤ５８と噛み合っている第四ベベルギヤ６０が回転できるように設けられ、前記置きチャンバ２７の片側には開口溝５３が連通して設けられ、前記開口溝５３の中には閉鎖回転軸５４を通じてカバー板５５が回転できるように設けられ、前記閉鎖回転軸５４と前記連結軸６１との間が伝動ベルト６２により動力が伝達できるように連結される。
【００１７】
有益的には、前記解錠装置３００は前記昇降チャンバ２９と連通されるロックスライド溝６３を含み、前記ロックスライド溝６３の中には前記ロック溝３１と係着されるロックスライダ６４が設けられ、前記ロックスライド溝６３の上側には連結溝６５が連通して設けられ、前記連結溝６５の中には前記ロックスライダ６４と噛み合っている連結ギヤ６６が回転できるように設けられ、前記連結溝６５と外部空間との間には押さえ溝６７が連通して設けられ、前記押さえ溝６７の中には一端が外部空間に挿入される押さえロッド６８がスライドできるように設けられ、前記押さえロッド６８が前記連結ギヤ６６と噛み合っており、前記押さえロッド６８と前記押さえ溝６７との間には押さえばね６９が固定的に設けられる。
【００１８】
作動する時、ピアスを置きチャンバ２７の中に置き、支持ブロック２４を押さえて下降させ、スライドロッド５１が当接ブロック１５との当接から離脱し、スライドロッド５１が押圧ばね５２の作用のもとで逆方向に移動し、伝動ギヤ５７が第四ベベルギヤ６０を連動して回転させると、閉鎖回転軸５４が回転し、カバー板５５が右の視点から反時計回りに回転し、置きチャンバ２７を閉じ、支持ブロック２４がロックスライダ６４の位置まで下降する時、支持ブロック２４がロック溝３１の中に最大限に係着され、これにより洗浄ブロック２６が洗浄チャンバ２３の中に固定され、手動で閉鎖板１４を回転させることにより乾燥チャンバ１１を閉じ、伸縮ブロック２１が閉鎖板１４により押されて下降し、これにより押出ブロック１７が乾燥チャンバ１１の中に挿し込み、駆動モータ４５が正方向に回転し、動力ギヤ３５を駆動して回転させ、これにより中空軸２５が洗浄ブロック２６を連動して回転させ、置きチャンバ２７の中にあるピアスを洗浄し、洗浄し終わった後、両側の押さえロッド６８を相対する方向に押さえ、ロックスライダ６４を外側に移動させてロック溝３１とロック解除させ、これにより支持ブロック２４が洗浄ブロック２６を連動させて連結ばね３４の作用のもとで乾燥チャンバ１１の中まで上昇させ、スライドロッド５１が押出ブロック１７と当接し、この時、連結ばね３４の弾性がまだ完全に回復していなく、駆動モータ４５を駆動して逆方向に回転させ、中空軸２５が洗浄ブロック２６を連動させて回転させ、且つ内ラチェット４４により外回転ギヤ４３を回転させ、これにより回転軸４０が回転し、ファン羽根３９を回転させて風を生じさせ、置きチャンバ２７にあるピアスを乾燥させ、乾燥させた後、俯瞰の視点から時計回りに閉鎖板１４を回転させ、これにより、伸縮ブロック２１を上昇させ、これにより押出ブロック１７が押出溝１６の中まで収縮し、連結ばね３４の弾性により支持ブロック２４を上昇させ、これによりスライドロッド５１が当接ブロック１５と当接し、スライドロッド５１を相対する方向に移動させ、これにより閉鎖回転軸５４がカバー板５５を連動させて右の視点から時計回りに回転させ、これにより置きチャンバ２７を開ける。
【００１９】
本発明の有益効果は：本発明は構成が簡単で、操作が便利で、洗浄過程において、ピアスを保護して洗浄チャンバ内壁とぶつかることを防止し、次に、洗浄ブロックがピアスを連動させて洗浄液の中で回転させて洗浄し、洗浄し終わった後、風力によりピアスを乾燥させ、この方式により洗浄した後のピアスを直接付けることができ、洗浄速度が速く、効率が高い。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。